(57)【要約】      （修正有）【課題】口腔内内視装置上のディスプレイの角度を無段階調整できる口腔内内視装置の無段階調整式ディスプレイを提供する。【解決手段】本体１００と、イメージセンサを備え、本体１００の一端に設置される撮影部１１と、外部ディスプレイと接続され、本体１００の他端に設置されるコネクタ部１２と、撮影部１１及びコネクタ部１２の間に設置される、使用者に持たせるための把手部１３と、把手部１３上に設置される複数の操作ボタン１８と、を設ける。さらに、本体１００上の把手部１３及びコネクタ部１２の間に小型ディスプレイ２００と接続するための接続部１４を備え、接続部１４は、本体１００の外周上に、本体１００に沿って回転させることができる回転部１５を備え、回転部１５上には小型ディスプレイ２００と電気的に接続するための映像出力ポートを備える。【選択図】図２
0003165515.tif 000002
【実用新案登録請求の範囲】
【請求項１】
口腔内内視装置の無段階調整式ディスプレイであって、
本体（１００）と、
イメージセンサを備え、前記本体（１００）の一端に設置される撮影部（１１）と、
外部ディスプレイと接続され、前記本体（１００）の他端に設置されるコネクタ部（１２）と、
前記撮影部（１１）及び前記コネクタ部（１２）の間に設置される、使用者に持たせるための把手部（１３）と、
前記把手部（１３）上に設置される複数の操作ボタン（１８）と、
を備え、
前記本体（１００）上の前記把手部（１３）及び前記コネクタ部（１２）の間に小型ディスプレイ（２００）と接続するための接続部（１４）を備え、前記接続部（１４）は、前記本体（１００）の外周上に、前記本体（１００）に沿って回転させることができる回転部（１５）を備え、前記回転部（１５）上には前記小型ディスプレイ（２００）と電気的に接続するための映像出力ポート（１６）を備えることを特徴とする口腔内内視装置の無段階調整式ディスプレイ。
【請求項２】
請求項１に記載の口腔内内視装置の無段階調整式ディスプレイにおいて、
前記小型ディスプレイ（２００）は前記映像出力ポート（１６）と接続するための映像入力ポート（１７）を備えることを特徴とする口腔内内視装置の無段階調整式ディスプレイ。
【請求項３】
請求項２に記載の口腔内内視装置の無段階調整式ディスプレイにおいて、
前記映像出力ポート（１６）と前記映像入力ポート（１７）の接続部は、円柱状の前記映像入力ポート（１７）と、前記映像入力ポート（１７）が挿入される内周部が円形の前記映像出力ポート（１６）からなり、前記小型ディスプレイ（２００）は、前記本体（１００）に対して回転可能であることを特徴とする口腔内内視装置の無段階調整式ディスプレイ。
【考案の詳細な説明】
【技術分野】
【０００１】
本考案は、口腔内内視装置の無段階調整式ディスプレイに係り、より詳しくは、口腔内内視装置上のディスプレイの角度を無段階調整できる口腔内内視装置の無段階調整式ディスプレイに関する。
【背景技術】
【０００２】
現在、歯科疾患患者は歯科に行った際、歯科医の口述でしか自分の歯の病状を知ることができない。自分の歯の健康状態について十分に理解することができず、歯科医の意見に頼るしかない。然るに、歯科医も、完全且つ詳細に患者の口腔を検査するのは容易ではなく、ある程度の技術や器具の助けにより、ようやく短い時間内に発症箇所を特定し患者に告知することができる。最もよく見かける口腔診察器具は把手と反射鏡しかついていない口内鏡であるが、口内鏡を使用する際には特定の角度で且つ適度な光源がなければはっきり見ることはできず、使用上極めて不便である。
デジタル撮影技術の進歩と共に、撮影に関する部品の小型化が進み、値段も廉価になり撮影部品の応用も広まってきた。そして、ＣＭＯＳイメージセンサやＣＣＤイメージセンサを組み合わせた口腔内内視装置が従来の口内鏡に取って代わってきた。
【０００３】
このような口腔内内視装置には台湾専利公報第５２９４０８号「口腔内内視観測ペン」がある。前記特許文献は、白光ＬＥＤ及びＣＣＤイメージセンサを組み合わせたものである。ペン状の本体の一端に口腔内を撮影するための白光ＬＥＤ及びＣＣＤイメージセンサを備え、他端には撮影した情報をディスプレイ上に出力するためのケーブルを備えている。この装置により、歯科医と患者はディスプレイで患者の口腔内の映像を見ることができ、同時に歯科医の見解を聞くことで患者は自分の口腔の健康状態についてより良く理解することができる。
【０００４】
上記口腔内内視装置では、歯科医が患者の口腔内を撮影する際、ペン状の本体を持つ手で正確に対象を捉える必要があるが、患者の口腔内を撮影すると同時にディスプレイに顔を向けると撮影箇所がぶれることが多い。歯科医が口腔内内視装置を使用する際の利便性を図るため、手に持って撮影するためのペン状の本体及びペン状の本体に接続される外部ディスプレイの他、ペン状の本体の上に小型ディスプレイを設置することで、患者は外部ディスプレイを、歯科医はペン状の本体上にある小型ディスプレイを見ることができ、両者が同時に口腔内の映像を見ることが可能となる。歯科医は患者が見ている外部ディスプレイに顔を向けることなく、小型ディスプレイの画面を見るだけで、同時に患者に対して病状を説明することができ、歯科医の操作の利便性を大きく向上させることができる。
【０００５】
しかしながら、従来の口腔内内視装置の小型ディスプレイはペン状の本体上に固定されており、小型ディスプレイはペン状の本体と共に動くので、歯科医がペン状の本体を動かす際や小型ディスプレイを動かす際に手に引っ掛かりやすく、或いは手にさえぎられて、小型ディスプレイの利便性を有効利用できないことが従来の小型ディスプレイの問題点であった。
【先行技術文献】
【特許文献】
【０００６】
【特許文献１】台湾専利公報第５２９４０８号
【特許文献２】実開昭６１−１９６７０１号公報
【考案の概要】
【考案が解決しようとする課題】
【０００７】
本考案の目的は、口腔内内視装置上のディスプレイの角度を無段階調整できる口腔内内視装置の無段階調整式ディスプレイを提供することである。
【課題を解決するための手段】
【０００８】
本考案は、口腔内内視装置の無段階調整式ディスプレイであって、本体（１００）と、イメージセンサを備え、前記本体（１００）の一端に設置される撮影部（１１）と、外部ディスプレイと接続され、前記本体（１００）の他端に設置されるコネクタ部（１２）と、前記撮影部（１１）及び前記コネクタ部（１２）の間に設置される、使用者に持たせるための把手部（１３）と、前記把手部（１３）上に設置される複数の操作ボタン（１８）と、を備え、前記本体（１００）上の前記把手部（１３）及び前記コネクタ部（１２）の間に小型ディスプレイ（２００）と接続するための接続部（１４）を備え、前記接続部（１４）は、前記本体（１００）の外周上に、前記本体（１００）に沿って回転させることができる回転部（１５）を備え、前記回転部（１５）上には前記小型ディスプレイ（２００）と電気的に接続するための映像出力ポート（１６）を備えることを特徴とする。
【０００９】
前記小型ディスプレイ（２００）は前記映像出力ポート（１６）と接続するための映像入力ポート（１７）を備えることを特徴とする。
【００１０】
前記映像出力ポート（１６）と前記映像入力ポート（１７）の接続部は、円柱状の前記映像入力ポート（１７）と、前記映像入力ポート（１７）が挿入される内周部が円形の前記映像出力ポート（１６）からなり、前記小型ディスプレイ（２００）は、前記本体（１００）に対して回転可能であることを特徴とする。
【考案の効果】
【００１１】
１．本考案は映像出力ポートと映像入力ポートを備えることにより、本体と小型ディスプレイの分解を容易にし、小型ディスプレイの組み立てや収納の利便性が高い。
２．本考案は回転部を備えることにより、小型ディスプレイと本体を接続した際、小型ディスプレイが本体の外周に沿って回転することで、使用者はいつでも小型ディスプレイの位置を調整し、最も都合の良い角度にすることができる。
３．本考案の映像出力ポートと映像入力ポートの接続部は、円柱状の前記映像入力ポート１７と、前記映像入力ポート１７が挿入される内周部が円形の前記映像出力ポート１６からなり、前記小型ディスプレイ２００は、前記本体１００に対して回転可能であるため、使用者は小型ディスプレイの可視範囲を広げることができる。
【図面の簡単な説明】
【００１２】
【図１】本考案の口腔内内視装置の無段階調整式ディスプレイの分解斜視図である。
【図２】本考案の使用状況を示す図である。
【図３】本考案の使用状況を示す図である。
【考案を実施するための最良の形態】
【００１３】
以下、本考案の詳細な説明と技術内容を図面に基づいて説明する。
図１は本考案の口腔内内視装置の無段階調整式ディスプレイの分解斜視図である。本考案は口腔内内視装置の無段階調整式ディスプレイは、主に歯科医が患者の口腔内を見るための口腔内内視装置として使われる。本考案は本体１００と、本体１００の一端にイメージセンサを備えた撮影部１１を備え、撮影部１１は患者の口腔内の映像を撮影するために使われる。本体１００の他端には外部ディスプレイと接続するためのコネクタ部１２を備え、コネクタ部１２は有線あるいは無線の方式によって外部ディスプレイと接続される。外部ディスプレイは通常、大型のディスプレイである。撮影部１１及びコネクタ部１２の間には使用者に持たせるための把手部１３が備えられる。本体１００上の把手部１３とコネクタ部１２の間には、小型ディスプレイ２００と接続するための接続部１４が備えられる。接続部１４は、本体１００の外周方向に沿って回転させることができる回転部１５を備え、回転部１５上には小型ディスプレイ２００と電気的に接続するための映像出力ポート１６を備える。
【００１４】
図２は本考案の使用状況を示す図である。
小型ディスプレイ２００は映像出力ポート１６と接続するための映像入力ポート１７を備える。小型ディスプレイ２００は映像出力ポート１６と映像入力ポート１７によって回転部１５上に接続され、回転部１５が本体１００の外周に沿って回転する際、小型ディスプレイ２００は本体１００の外周を移動する。この構造により、小型ディスプレイ２００は本体１００の外周上のあらゆる角度に調節することができ、使用者は本体１００を異なる角度で持ちながら本体１００の外周上で小型ディスプレイ２００の位置を調節し、小型ディスプレイ２００を最も都合の良い角度に調整することができる。
【００１５】
図３は本考案の使用状況を示す図である。小型ディスプレイ２００の可視角度を広げるために、映像出力ポート１６と映像入力ポート１７の接続部は、円柱状の映像入力ポート１７と、映像入力ポート１７が挿入される内周部が円形の映像出力ポート１６からなり、映像出力ポート１６と映像入力ポート１７の接続箇所を中心として小型ディスプレイ２００を本体１００に対して回転させることができる。これにより小型ディスプレイ２００は本体１００の外周を自由に移動できるだけでなく、映像出力ポート１６と映像入力ポート１７の接続部分を回転させることにより、使用者が小型ディスプレイ２００を見る際に完全に死角を無くすることができる。
【００１６】
本考案は接続部１４上の回転部１５と小型ディスプレイ２００を接続することにより、小型ディスプレイ２００は回転部１５と共に本体１００の周りを移動することができ、同時に映像出力ポート１６と入力ポート１７の接続構造により、小型ディスプレイ２００は動かせる範囲がさらに広くなる。これにより、小型ディスプレイ２００を接続する口腔内内視装置を使用する際の利便性を更に高めることができ、手に引っかからず、或いは手に遮られてしまうこともなく、小型ディスプレイ２００の最も都合の良い角度を維持することができる。更に、本考案の小型ディスプレイ２００と本体１００の接続構造により、小型ディスプレイ２００の組み立てと分解を素早く行うことができ、使用者が収納する際に手軽で、小型ディスプレイ２００が本体１００に固定されていることによる衝突や破損等を無くし、口腔内内視装置の寿命を延ばすことができる。
【００１７】
本考案の口腔内内視装置では、把手部１３に更に複数の操作ボタン１８を設置し、操作ボタン１８により撮影部１１の映像を拡大或いは縮小、撮影部１１の照明の明るさの調節、撮影部１１の写真撮影或いはモニタリング等の制御等を行うようにしてもよい。
【００１８】
以上、本考案に関する好ましい実施形態を説明したが、本考案は前記実施形態に限定されず、本考案の属する技術範囲を逸脱しない範囲での全ての変更が含まれる。
【符号の説明】
【００１９】
１１  撮影部
１２  コネクタ部
１３  把手部
１４  接続部
１５  回転部
１６  映像出力ポート
１７  映像入力ポート
１８  操作ボタン
１００  本体
２００  小型ディスプレイ
【図１】
0003165515.tif 000003
【図２】
0003165515.tif 000004
【図３】
0003165515.tif 000005